(57)【要約】【課題】カセットの蓋を片手でワンタッチで容易且つ確実に取り去ることができる医療検査用カセットを提供する。【解決手段】カセット本体１と蓋２を具備してなり、カセット本体１が、上面を開放した、検体を収容し得る方形の容器で、多数の透孔３を有するとともに、少なくとも１個の係止部１４を有し、蓋２が多数の透孔７を有し、前記係止部１４と係合する略Ｕ字状の係止部１６を有してなることを特徴とする医療検査用カセット。【選択図】図２
2005188976.tif 000002
【特許請求の範囲】
【請求項１】
カセット本体と蓋を具備してなり、カセット本体が、上面を開放した、検体を収容し得る方形の容器で、多数の透孔を有するとともに、少なくとも１個の係止部を有し、蓋が多数の透孔を有し、前記係止部と係合する略Ｕ字状の係止部を有してなることを特徴とする医療検査用カセット。
【請求項２】
カセット本体が２個の係止部を有し、蓋が前記係止部と係合する２個の略Ｕ字状の係止部を有する請求項１記載の医療検査用カセット。
【請求項３】
蓋の裏面の外周部に沿って、カセット本体内に嵌合するリブを有する請求項１又は２記載の医療検査用カセット。
【請求項４】
蓋の表面に突起を設けた請求項１〜３のいずれか１項に記載の医療検査用カセット。
【請求項５】
カセット本体の底部裏面に、蓋の表面に設けた突起よりも浅い嵌合孔を設けた請求項１〜４のいずれか１項に記載の医療検査用カセット。
【請求項６】
略Ｕ字状の係止部に透孔を設けた請求項１〜５のいずれか１項に記載の医療検査用カセット。
【請求項７】
少なくとも１対の対向する側壁の外側にアダプター係止部を設けた請求項１〜６のいずれか１項に記載の医療検査用カセット。
【請求項８】
カセット本体が仕切壁により複数個の小室に区画されてなる請求項１〜７のいずれか１項に記載の医療検査用カセット。
【請求項９】
蓋及び／又はカセット本体が耐薬品性の透明材料からなる請求項１〜８のいずれか１項に記載の医療検査用カセット。
【発明の詳細な説明】
【技術分野】
【０００１】
本発明は、医療検査用顕微鏡標本の作製に使用する医療検査用カセットに関し、更に詳しくは、片手で容易且つ安定的に蓋を開閉でき、作業性の向上した医療検査用カセットに関する。
【背景技術】
【０００２】
従来のこの種のカセットは、図２２、図２３に示すように、合成樹脂又はステンレスからなるカセット本体１と蓋２とを具備してなる（例えば、特許文献１参照）。カセット本体１は、上面を開放した方形の容器で、底部に多数の透孔３を有し、短辺側の一側壁の外側に係止部４を有し、他の側壁の外側に係止部５を有する。係止部４、５の下部は記録部６である。また、カセット本体１の長辺側の両外側にはアダプター用の係止部１２が突設されている。
【０００３】
蓋２は、着脱可能な板状体で、板面に多数の透孔７を有し、裏面の外周面に沿ってカセット本体１内に嵌合するリブ８を有し、短辺側の一方側には前記係止部４と係合する係止片９ａ、９ｂを有し、短辺側の他方側にはカセット本体１よりも僅かに大き目の突縁部１０を有し、前記係止部５と係合する係止片１１を有している。
【０００４】
上記カセットを使用して顕微鏡標本を作製するには、まず、採取した検体１３をカセット本体１内に収容して蓋２を取り付け、記録部６に被検者の氏名、番号等を記録しておく。蓋２の係止片９ａ、９ｂは、カセット本体１の係止部４に係合し、また係止片１１はカセット本体１の係止部５に係合して蓋２を固定する。
【０００５】
続いて、透孔７、３を通じてアルコールを供給して検体１３の水分を除去し、次いで、キシレンにより後述する液状パラフィンとの親和性を検体１３に付与する。
【０００６】
次に、常法に従い、パラフィン中に検体１３を包埋したカセットブロックを作成し、ミクロトーム上に装着したアダプター上にカセットブロックを裏返して載せ、固定腕と可動腕との間にカセット本体１のアダプター係止部１２を挟持して固定する。続いて、パラフィンに包埋された検体をスライスし、スライスした薄片に染色、その他の所定の処理を施すことにより顕微鏡標本を得るのである。
【特許文献１】実用新案登録第２５４７４１０号公報
【発明の開示】
【発明が解決しようとする課題】
【０００７】
上記カセットは、通常、一方の片手にピンセットを持ち、他方の片手で、例えば図２３に示す如く、蓋２のＰ点付近に人指し指を掛け、蓋２の突縁部１０に親指をかけた状態でＰ点を人指し指で少し押圧して該Ｐ点から突縁部１０にかけて若干上方に反り返らせることにより蓋２の係止片１１をカセット本体１の係止部５から離脱させ、蓋２を上方に取り除き、もう一方の片手のピンセットを操作して検体１３をカセット本体１内に収容させる。そして、上記したように、薬剤処理を行った後、上記と同様の操作で片手で蓋２を取り去り、他方の片手のピンセットで検体１３をカセット本体１から取り出して液状パラフィン中に置いてカセットブロックが作成される。
【０００８】
しかるに、上記の如き従来のカセットにあっては、蓋２の可撓性、弾性を利用して、Ｐ点を人指し指で押圧してＰ点から突縁部１０にかけて上方に反り返らせることにより蓋２の係止片１１をカセット本体１の係止部５から離脱させることにより蓋２を取り去るため、かなりの力を必要とし、従って、数多くのカセットを扱う場合には手指に負担が掛るため作業性が低下せざるをえない。また、蓋２がカセット本体１から離脱する際に、その勢いで、カセット本体１内の検体１３がカセット本体１の外へ飛び出してしまい、貴重な検体１３を台無しにする場合がある。
【０００９】
上記トラブルを回避しようとすれば、一旦両手を使って蓋２がはね上がることがないように慎重にカセット本体１から取り去り、次いで、ピンセットを使って検体１３を取り出すことになり、片手でピンセットを持ち、他方の片手で蓋を開けるという効率的な作業は不可能となり、従って、作業性は大巾に低下せざるを得ない。
【課題を解決するための手段】
【００１０】
上記課題を解決するための請求項１の本発明は、カセット本体と蓋を具備してなり、
カセット本体が、上面を開放した、検体を収容し得る方形の容器で、多数の透孔を有するとともに、少なくとも１個の係止部を有し、蓋が多数の透孔を有し、前記係止部と係合する略Ｕ字状の係止部を有してなることを特徴とする医療検査用カセットを内容とする。
【００１１】
また、請求項２の本発明は、カセット本体が２個の係止部を有し、蓋が前記係止部と係合する２個の略Ｕ字状の係止部を有する請求項１記載の医療検査用カセットを内容とする。
【００１２】
また、請求項３の本発明は、蓋の裏面の外周部に沿って、カセット本体内に嵌合するリブを有する請求項１又は２記載の医療検査用カセットを内容とする。
【００１３】
また、請求項４の本発明は、蓋の表面に突起を設けた請求項１〜３のいずれか１項に記載の医療検査用カセットを内容とする。
【００１４】
また、請求項５の本発明は、カセット本体の底部裏面に、蓋の表面に設けた突起よりも浅い嵌合孔を設けた請求項１〜４のいずれか１項に記載の医療検査用カセットを内容とする。
【００１５】
また、請求項６の本発明は、略Ｕ字状の係止部に透孔を設けた請求項１〜５のいずれか１項に記載の医療検査用カセットを内容とする。
【００１６】
また、請求項７の本発明は、少なくとも１対の対向する側壁の外側にアダプター係止部を設けた請求項１〜６のいずれか１項に記載の医療検査用カセットを内容とする。
【００１７】
また、請求項８の本発明は、カセット本体が仕切壁により複数個の小室に区画されてなる請求項１〜７のいずれか１項に記載の医療検査用カセットを内容とする。
【００１８】
また、請求項９の本発明は、蓋及び／又はカセット本体が耐薬品性の透明材料からなる請求項１〜８のいずれか１項に記載の医療検査用カセットを内容とする。
【発明の効果】
【００１９】
本発明のカセットは、蓋の略Ｕ字状の係止部がカセット本体の係止部に係合してなるため、該係合部の略Ｕ字状の部分の可撓性、弾性を利用した形状変形により容易に係合を解くことができ、ワンタッチで、片手で蓋をカセット本体から簡単に且つ安定的に離脱させることができる。その結果、長時間作業しても、手指が疲労することもなく、開蓋した際の勢いで検体が外へ飛び出し、台無しになるといったトラブルも防止されるので、標本作成の生産性が飛躍的に高められる。
【００２０】
本発明のカセットは、蓋の表面に突起を設けることにより、カセットを上下方向に積み重ねたり、水平方向に並接した場合に、該突起がスペーサーとして機能しカセットとカセットとの間に空間部を形成し、この空間部からも薬液が流入可能となるので薬液の処理が均一となり、且つ効率的である。
【００２１】
また、カセットを積み重ねたり、並設した場合において、カセット本体の底部裏面に、上記突起に嵌合する嵌合孔を設けることにより、カセットが薬液処理中に位置づれを起こしたり、崩れたりするのを防ぐことができる。この場合、の嵌合孔を突起よりも浅く設け、上部のカセットの底部と下部のカセットの蓋との間に隙間（スペース）を形成させることにより、カセットが薬液処理中に位置づれを起こしたり、崩れたりするのを防ぐと同時に、突起のスペーサーとしての機能を維持せしめ、薬液の流入効果を発揮させることができる。
また、輸送や保管中に積み重ねた又は並接したカセットが崩れることがないので好都合である。
【００２２】
また、突起の表面に、収容した検体を識別するための識別表示を設けたり、ミクロトームでスライスして標本を作成する際の切り出しの識別表示を設けることにより、作業性及び検査精度が高められる。特に、カセット本体が複数個の小室に分割されてなる場合は、その小室に対応する突起を設け、識別表示を設けると、検体の取り違い等のトラブルが防止され、作業性、検査精度が高められる。
【００２３】
また、蓋及び／又はカセット本体を透明材料製とすることにより、蓋を取り去ることなく、カセット内に収容された検体の状況を容易に視認することができるので、作業性や検査精度が一層飛躍的に高められる。
【発明を実施するための最良の形態】
【００２４】
本発明は、カセット本体と蓋を具備してなり、カセット本体が、上面を開放した、検体を収容し得る方形の容器で、多数の透孔を有するとともに、少なくとも１個の係止部を有し、蓋が多数の透孔を有し、前記係止部と係合する略Ｕ字状の係止部を有してなることを特徴とする。
【００２５】
本発明のカセットは、蓋の略Ｕ字状の係止部がカセット本体の係止部に係合してなるため、該係止部の略Ｕ字状の部分の可撓性、弾性を利用した形状変形（拡縮）により容易に係合を解くことができ、片手で蓋をカセット本体から簡単に且つ安定的に離脱させることができる。その結果、長時間作業しても、手指が疲労することもなく、また、開蓋した際の勢いで検体が外へ飛び出し、貴重な検体を台無しにするといったトラブルも防止される。
【００２６】
蓋の略Ｕ字状の係止部とカセット本体の係止部との係合・離脱は、略Ｕ字状部分の可撓性、弾性を利用した形状変形（拡縮）によって行われるが、更に、係合・離脱を確実なものとするために、略Ｕ字状係止部と係止部とを凹凸等の係合手段で係合するようにしてもよい。
【００２７】
略Ｕ字状の係止部は、少なくとも１個設けられる。略Ｕ字状係止部を１個設ける場合は、他方の係合は、例えば図２２、図２３で示した如き係止部と係止片による係合等を採用すればよい。
【００２８】
略Ｕ字状係止部を２個以上用いることもできる。余り多くなっても実用性に乏しく、また略Ｕ字状係止部と係合する係合部をカセット本体内に設ける場合は、それだけカセット本体内の容積が小さくなるので、２個が好ましい。２個のＵ字状係止部を用いる場合、対角線上の両隅部、両短辺部、両長辺部にそれぞれ設けるのが操作性の点から好ましい。Ｕ字状係止部を２個設けた場合は、例えば一のＵ字状係止部には親指を掛け、他のＵ字状係止部には人差指を掛けて互いに内側に引き合うように少し力を加えることにより容易に開蓋することができる。
略Ｕ字状係止部と係合する係合部はカセット本体の外側にも設けることができ、この場合は、カセット本体内の容積は影響を受けない。
【００２９】
蓋の裏面の外周部に沿って、カセット本体内に嵌合するリブを設けることにより、蓋とカセット本体との嵌合性が高められ、薬液処理の際等において、微細な検体でもカセット本体外に洩れ出ることが防止される。
【００３０】
また、本発明のカセットは、蓋の表面に突起を設けることにより、カセットを上下方向に積み重ねたり、水平方向に並設した場合に、該突起がスペーサーとして機能しカセットとカセットとの間に空間部を形成し、この空間部からも薬液が流入可能となるので薬液の処理が均一となり、且つ効率的である。
【００３１】
この場合において、突起の表面に、収容した検体を識別するための識別表示を設けることにより、標本作成の作業性及び検査精度を高めることができる。また、ミクロトームでスライスして標本を作成する際の切り出しの識別表示を設けることにより、ミクロトームでスライスする際の切り出し位置を知ることができ、作業性及び検査精度が高められる。また、カセット本体が複数個の小室に分割されてなる場合は、その小室に対応する突起を設け、識別表示を設けると、検体の取り違い等のトラブルが防止され、作業性、検査精度が高められる。
【００３２】
上記識別表示は文字通り識別又は区別できるものであれば特に制限されず、例えば、１、２、３等の数字、Ａ、Ｂ、Ｃ（ａ、ｂ、ｃ）等のアルファベット、イ、ロ、ハ（い、ろ、は）等の五十音、○、△、×等の記号等、数字、文字、記号、模様、着色、バーコード等のいずれでもよい。
【００３３】
突起の高さは特に制限されずカセットのサイズにより一概には規定されないが、少なくとも０．３mmの高さ、好ましくは、少なくとも０．５mmの高さで設けるのが好ましい。突起が０．３mmよりも低くなると、作業する際に視認し難く、間違いが生じ易くなり、また、突起により形成される空間部が小さいため薬液の透過性の改善効果が不十分となる。突起の表面に設ける識別表示は、突設、刻設、又は平面的に設けてもよい。尚、突起の上限は、カセットの大きさにより一概には規定できないが、余り高くなると積み重ねたり並接した場合に場所をとり、処理効率が低下するとともに、取り扱い性も悪くなる。従って、好ましくは１０mm程度、より好ましくは５mm程度、さらに好ましくは２mm程度である。
【００３４】
尚、カセットを積み重ねたり、並設した場合において、カセットが薬液処理中に位置づれを起こしたり、崩れたりするのを防ぐために、カセット本体の底部裏面に、上記突起に嵌合する嵌合孔を設けることが好ましい。この場合の嵌合孔は、突起のスペーサーとしての機能を維持せしめるために、突起よりも浅く設け、好ましくは、０．３〜１．０ｍｍ程度の隙間が上部のカセットの底部と下部のカセットの蓋との間に形成されるように設計し、この隙間からも薬液がカセット内に流入するように配慮するのが望ましい。かかる配慮により、薬液処理の時間が短縮されるとともに、均一に処理されるので効率的となる。
【００３５】
カセット本体の少なくとも１対の対向する側壁の外側に、アダプター係止部を設けることができる。例えば、一定のアダプター係止部を設けることにより、カセット本体のサイズが変わってもミクロトームのアダプターに変更を加えることなく、そのまま適用することができる。また、アダプター係止部はカセット本体を補強する役割も果たすので、アダプターにより確実且つ安定的に保持され、スライスして標本を作製する作業が容易となる。
【００３６】
また、カセット本体を仕切壁で区画して複数個の小室にすることは、同時に複数個の検体が処理されるので極めて効率的である。しかし、前記したように、既存のミクロトーム等の装置を使用する場合には、カセットの大きさに自ら制約があり、従って、複数個の小室を設ける場合は、２〜９個程度が好ましい。９個を越えると、小室のサイズが小さくなり過ぎ、収容、処理する検体のサイズも制限され不都合な場合がある。
【００３７】
小室の形成は仕切壁によりなされるが、仕切壁をカセット本体内にのみ突設し、蓋を被着した際に該仕切壁の先端部と蓋の裏面との対接により小室を区画形成するようにしてもよく、また蓋の裏面に背の低い仕切壁を突設するとともに、カセット本体内に背の高い仕切壁を突設し、蓋を被着した際に、両仕切壁の先端同志の対接により小室を区画形成するようにしてもよい。更には、蓋又はカセット本体に設けた１条の仕切壁を、カセット本体又は蓋に設けた２条の仕切壁により挟着させて小室を区画形成してもよい。小室は実質的に隙間のない独立した空間であってもよく、また検体が隣接する小室に移動しない程度に小さい隙間があってもよい。
【００３８】
蓋及び／又はカセット本体は耐薬品性を有する材料から作られ、例えばポリアセタール、ポリアミド、ポリカーボネート、ポリエステル、ポリプロピレン、ポリエチレン等の合成樹脂、ステンレス等の金属等が好適であるが、特にポリカーボネート、ポリエステル、ポリプロピレン、ポリエチレン等の透明樹脂製とすることにより、カセット内部に収容した検体の状況（個数、形状、色、カセット本体内での存在位置、濾紙とともに検体を収容した場合は、濾紙の位置、濾紙上の検体の方向等）を明確に視認することができるので、顕微鏡標本作成の効率化、確実化を図るとともに、精度の高い検査結果を得ることができる。
【００３９】
上記透明樹脂の中、とりわけ耐薬品性及び低コストという点からポリプロピレン樹脂、ポリエチレン樹脂、ポリエステル（特にＰＥＴ）樹脂が好適で、特にポリプロピレン樹脂、ポリエチレン樹脂が好適である。蓋のみが透明材料からなる場合は蓋の外部から、またカセット本体のみが透明材料からなる場合はカセット本体（側壁又は底部）の外側から、更に、蓋とカセット本体とが透明材料からなる場合は、蓋及びカセット本体の両方の外側から、内部の検体の状況を視認することができる。
【実施例】
【００４０】
以下、本発明を実施例を示す図面に基づいて詳細に説明するが、本発明はかかる実施例のみに限定されないことは云うまでもない。
【００４１】
実施例１
図１〜図６は、それぞれ本実施例の医療検査用カセットの上面図、Ａ−Ａ断面図、蓋を開いた状態の斜視図、蓋を裏面からみた斜視図、蓋を被着した状態の斜視図、カセットを積み重ねた状態を示す断面図である。
これらの図に示すように、本実施例の医療検査用カセットはカセット本体１と蓋２とを具備してなる。
カセット本体１は、上面を開放した、検体を収容し得る方形の容器で、多数の透孔３を有し、短辺側の少なくとも一側壁の外側は記録部６として備えるとともに、長辺側の両側壁外側にはアダプター係止部１２を有してなる。尚、本例では、記録部６はアダプター係止部１２と連設されており、カセット本体１の補強効果が大きくなる効果がある。また、かかる構成とすることにより、使用するアダプターによっては、記録部６をアダプター係止部として使用することもでき、また、アダプター係止部１２を記録部として使用することもできる。
また、対向する隅部には、係止部として係止溝１４が設けられるとともに、角部から延設された係止部１５が設けられている。
また、底部裏面には、蓋２の表面に設けた突起２０と嵌合する嵌合孔２１が設けられている（図６参照）。
【００４２】
一方、蓋２は多数の透孔７を有し、裏面の外周面に沿ってカセット本体１内に嵌合するリブ８を有し、対向する隅部には前記係止溝１４と係合するＵ字状係止部１６を有し、該Ｕ字状係止部１６が前記係止溝１４に嵌入するとともに、該Ｕ字状係止部１６の外側に設けた凸部１７が前記係止部１５に着脱自在に係合してなる（図２、図４参照）。
また、蓋２の表面には、前記カセット本体１の底部裏面に設けた嵌合孔２１と嵌合する突起２０が設けられている。嵌合孔２１は突起２０よりも僅かに（例えば、０．５ｍｍ程度）浅く設けられている（図６参照）。
【００４３】
上記の如きカセットにおいて、蓋２をカセット本体１から取り去るには、例えば、蓋２の中央付近を人指し指で押さえ、親指でＵ字状係止部１６の端縁部１６ａを矢示した内側の方向に押すことにより、Ｕ字状係止部１６の可撓性、弾性を利用した形状変形（縮形）により、係止溝１４との係合及び凸部１７と係止部１５との係合が解かれ、蓋２をカセット本体１から容易に取り去ることができる。
【００４４】
本実施例では、Ｕ字状係止部１６に透孔１６ｂが穿設されているが、これらはカセットを薬液中に浸漬する際の浮力を減じ、浸漬し易くする効果がある。更に、Ｕ字状係止部１６の透孔１６ｂは、浮力低減効果の他に、Ｕ字状係止部１６の剛性を低下させて撓み変形力を大きくし、より小さな力で蓋２をカセット本体１から除去せしめる効果もある。この透孔は、上記した効果の他に、樹脂量を低減させコストダウンを図る効果もある。
【００４５】
本実施例のカセットは、図６に示すように、複数個積み重ねた場合に、上段のカセットの底部下面と下段のカセットの蓋の上面との間に間隙Ｓ（本例では０．５ｍｍ程度）が形成され、薬液処理の際に薬液がこの間隙からもカセット内に流入するので短時間で且つ均一な処理が可能である。また、輸送や保管中においても、積み重ねたカセットが崩れないので好都合である。尚、上記効果はカセットを水平に並接する場合にも同様である。
【００４６】
実施例２
図７〜図１２は、それぞれ本実施例の医療検査用カセットの上面図、Ｂ−Ｂ断面図、Ｃ−Ｃ断面図、蓋を開いた状態の斜視図、蓋を裏面からみた斜視図、蓋を被着した状態の斜視図である。
これらの図に示すように、本実施例の医療検査用カセットはカセット本体１と蓋２とを具備してなる。
カセット本体１は、上面を開放した、検体を収容し得る方形の容器で、多数の透孔３を有し、短辺側の少なくとも一側壁の外側（図では両側）には記録部６として備えるとともに、長辺側の両側壁外側にはアダプター係止部１２（一部は短辺側に延設され、補強効果がある）を有してなる。もっとも、アダプター係止部１２を同時に記録部として使用することもできる。
また、対向する短辺側内部には、係止部として係止溝１４が設けられるとともに、該係止溝１４の外側内壁の両端上部に２個の凸部１８がが設けられている。
また、底部裏面には、蓋２の表面に設けた突起２０と嵌合する嵌合孔２１が設けられている（図９参照）。
【００４７】
一方、蓋２は多数の透孔７を有し、裏面の外周面に沿ってカセット本体１内に嵌合するリブ８を有し、対向する短辺側には前記係止溝１４と係合するＵ字状係止部１６を有し、該Ｕ字状係止部１６が前記係止溝１４に嵌入するとともに、該Ｕ字状係止部１６の外側両端を切り欠いた凹部１９と前記係止溝１４の外側内壁の両端上部に設けた凸部１８が着脱自在に係合してなる（図８、図１１参照）。
また、蓋２の表面には、前記カセット本体１の底部裏面に設けた嵌合孔２１と嵌合する突起２０が設けられている。嵌合孔２１は突起２０よりも僅かに（例えば、０．５ｍｍ程度）浅く設けられている。
【００４８】
上記の如きカセットにおいて、蓋２をカセット本体１から取り去るには、例えば、蓋２の２個のＵ字状係止部１６の端縁部１６ａに親指と人差指とを掛け渡し、矢示した内側の方向に押すことにより、Ｕ字状係止部１６の可撓性、弾性を利用した形状変形（縮形）により、係止溝１４との係合及び凸部１８と凹部１９との係合が解かれ、蓋２をカセット本体１から容易に取り去ることができる。
【００４９】
本実施例においても、Ｕ字状係止部１６に透孔１６ｂが穿設されているが、実施例１の場合と同じく、これらはカセットを薬液中に浸漬する際の浮力を減じ、浸漬し易くする効果がある。更に、Ｕ字状係止部１６の透孔１６ｂは、浮力低減効果の他に、Ｕ字状係止部１６の剛性を低下させて撓み変形力を大きくし、より小さな力で蓋２をカセット本体１から除去せしめる効果もある。この透孔は、上記した効果の他に、樹脂量を低減させコストダウンを図る効果もある。
また、複数個のカセットを積み重ねた場合又は並接した場合の効果も実施例１の場合と同じである。
また、本実施例の場合は、Ｕ字状係止部１６の端縁部１６ａと突起２０ａとをピンセット２４でつまんで、手指の場合と同様に、蓋２をカセット本体１から取り去ることができる（図９参照）。
【００５０】
実施例３
図１３〜図１５は、それぞれ本実施例の医療検査用カセットの上面図、Ｄ−Ｄ断面図、Ｅ−Ｅ断面図である。
これらの図に示すように、本実施例の医療検査用カセットは、カセット本体１の係止部としての係止溝１４を形成する外側の略中央部の上端を切り欠いてピンセット挿入口とし（図１５参照）、その上方の、蓋２の端縁部１６ａの部分を切り欠いてピンセット誘導路２３とするとともに（図１３、図１５参照）、蓋２の透孔７を外側から内側に向けて小さくなり、一方、カセット本体１の透孔３を内側から外側に向けて大きくなるように形成し、更に、アダプター係止部１２を長辺側のみに設けた（短辺側への延設部なし、但し図には示されていない）他は実施例２と同様の構成からなる。
【００５１】
上記の如く構成することにより、実施例２と同様に、手指で蓋２を取り去ることができるばかりでなく、ピンセット誘導路２３からピンセット挿入口２２にかけて斜め方向にピンセットを挿入してＵ字状係止部１６を押すことにより形状変形（縮形）させて、手指の場合と同様にして蓋２をカセット本体１から容易に取り去ることができる（図１５参照）。更に、ピンセット誘導路２３を形成する内側辺１６ｃと突起２０ａとをピンセットでつまんで手指の場合と同様に、蓋２をカセット本体１から取り去ることができる（図１３参照）。
また、上記の如く透孔を特殊なテーパー状に形成したことにより、例えば薬液処理の際に、蓋２の透孔７は外側、即ち、薬液の入口側が大きいのでロートと同様の作用により薬液がカセット本体１内に入り易く、一方、カセット本体１の底部の透孔３は外側が大きいので、薬液はカセット本体１内から外側にスムーズに排出される。その結果、薬液の流入、排出が効果的に行われ、薬液処理の効果が高められる。
【００５２】
実施例４
図１６〜図１８は、それぞれ本実施例の医療検査用カセットの斜視図、Ｆ−Ｆ断面図、蓋を開いた状態の斜視図である。
これらの図に示すように、本実施例の医療検査用カセットはカセット本体１と蓋２とを具備してなる。
カセット本体１は、上面を開放した、検体を収容し得る方形の容器で、多数の透孔３を有し、長辺側の少なくとも一側壁の外側は記録部６として備えるとともに、短辺側の両側壁外側にはアダプター係止部１２（一部は長辺側に延設され、補強効果がある）を有してなる。もっとも、アダプター係止部１２を同時に記録部として使用することもできる。
また、長辺側の一側壁の内側略中央には、係止部としての係止溝１４が設けられるとともに、該係止溝１４を形成する外側壁の内部から延設された係止部１５が設けられている。
【００５３】
一方、蓋２は多数の透孔７を有し、裏面の外周面に沿ってカセット本体１内に嵌合するリブ８を有し、対向する隅部には前記係止溝１４と係合するＵ字状係止部１６を有し、該Ｕ字状係止部１６が前記係止溝１４に嵌入するとともに、該Ｕ字状係止部１６の外側に設けた凸部１７が前記係止部１５に着脱自在に係合してなる（図１７参照）。
【００５４】
上記の如きカセットにおいて、蓋２をカセット本体１から取り去るには、例えば、蓋２の中央付近を人差指で押さえ、親指でＵ字状係止部１６の端縁部１６ａを矢示したように内側の方向に押すことにより、Ｕ字状係止部１６の可撓性、弾性を利用した形状変形（縮形）により、係止溝１４との係合及び凸部１７と係止部１５との係合が解かれ、蓋２をカセット本体１から容易に取り去ることができる。
【００５５】
本実施例でも、Ｕ字状係止部１６に透孔１６ｂが穿設されているが、これらはカセットを薬液中に浸漬する際の浮力を減じ、浸漬し易くする効果がある。更に、Ｕ字状係止部１６の透孔１６ｂは、浮力低減効果の他に、Ｕ字状係止部１６の剛性を低下させて撓み変形力を大きくし、より小さな力で蓋２をカセット本体１から除去せしめる効果もある。この透孔は、上記した効果の他に、樹脂量を低減させコストダウンを図る効果もある。
尚、本実施例では突起及び嵌合孔を設けていないが、必要に応じ、設けてもよいことは云うまでもない。
【００５６】
実施例５
図１９〜図２１は、それぞれ本実施例の医療検査用カセットの斜視図、Ｇ−Ｇ断面図、蓋を開いた状態の斜視図である。
これらの図に示すように、本実施例の医療検査用カセットはカセット本体１と蓋２とを具備してなる。
カセット本体１は、上面を開放した、検体を収容し得る方形の容器で、多数の透孔３を有し、短辺側の少なくとも一側壁の外側（図では両側）には記録部６として備えるとともに、長辺側の両側壁外側にはアダプター係止部１２（一部は短辺側に延設され、補強効果がある）を有してなる。もっとも、アダプター係止部１２を同時に記録部として使用することもできる。
また、短辺側の一側壁内部には、係止部として係止溝１４が設けられるとともに、該係止溝１４の外側内壁の両端上部に２個の凸部１８がが設けられている。
【００５７】
一方、蓋２は多数の透孔７を有し、裏面の外周面に沿ってカセット本体１内に嵌合するリブ８を有し、短辺部には前記係止溝１４と係合するＵ字状係止部１６を有し、該Ｕ字状係止部１６が前記係止溝１４に嵌入するとともに、該Ｕ字状係止部１６の外側両端を切り欠いた凹部１９と前記係止溝１４の外側内壁の両端上部に設けた凸部１８が着脱自在に係合してなる（図１９、図２０参照）。
【００５８】
上記の如きカセットにおいて、蓋２をカセット本体１から取り去るには、例えば、蓋２の中央付近を人差指で押さえ、親指でＵ字状係止部１６の端縁部１６ａを矢示したように内側の方向に押すことにより、Ｕ字状係止部１６の可撓性、弾性を利用した形状変形（縮形）により、係止溝１４との係合及び凸部１８と凹部１９との係合が解かれ、蓋２をカセット本体１から容易に取り去ることができる。
【００５９】
本実施例においても、Ｕ字状係止部１６に透孔１６ｂが穿設されているが、実施例１の場合と同じく、これらはカセットを薬液中に浸漬する際の浮力を減じ、浸漬し易くする効果がある。更に、Ｕ字状係止部１６の透孔１６ｂは、浮力低減効果の他に、Ｕ字状係止部１６の剛性を低下させて撓み変形力を大きくし、より小さな力で蓋２をカセット本体１から除去せしめる効果もある。この透孔は、上記した効果の他に、樹脂量を低減させコストダウンを図る効果もある（図２１）。
尚、本実施例では突起及び嵌合孔を設けていないが、必要に応じ、設けてもよいことは云うまでもない。
【産業上の利用可能性】
【００６０】
叙上のとおり、本発明のカセットは、蓋の略Ｕ字状の係止部がカセット本体の係止部に係合してなるため、該係合部の略Ｕ字状の部分の可撓性、弾性を利用した形状変形により容易に係合を解くことができ、ワンタッチで、片手で蓋をカセット本体から簡単に且つ安定的に離脱させることができる。その結果、長時間作業しても、手指が疲労することもなく、開蓋した際の勢いで検体が外へ飛び出し、台無しになるといったトラブルも防止され、標本作成の生産性が飛躍的に高められる。
【００６１】
本発明のカセットは、蓋の表面に突起を設けることにより、カセットを上下方向に積み重ねたり、水平方向に並接した場合に、該突起がスペーサーとして機能しカセットとカセットとの間に空間部を形成し、この空間部からも薬液が流入可能となるので薬液の処理が均一となり、且つ効率的である。
【００６２】
また、カセットを積み重ねたり、並設した場合において、カセット本体の底部裏面に、上記突起に嵌合する嵌合孔を設けることにより、カセットが薬液処理中に位置づれを起こしたり、崩れたりするのを防ぐことができる。この場合、の嵌合孔を突起よりも浅く設け、上部のカセットの底部と下部のカセットの蓋との間に隙間（スペース）を形成させることにより、カセットが薬液処理中に位置づれを起こしたり、崩れたりするのを防ぐと同時に、突起のスペーサーとしての機能を維持せしめ、薬液の流入効果を発揮させることができる。
また、輸送や保管中に積み重ねた又は並接したカセットが崩れることがないので好都合である。
【００６３】
また、突起の表面に、収容した検体を識別するための識別表示を設けたり、ミクロトームでスライスして標本を作成する際の切り出しの識別表示を設けることにより、作業性及び検査精度が高められる。特に、カセット本体が複数個の小室に分割されてなる場合は、その小室に対応する突起を設け、識別表示を設けると、検体の取り違い等のトラブルが防止され、作業性、検査精度が高められる。
【００６４】
更に、蓋及び／又はカセット本体を透明材料製とすることにより、蓋を取り去ることなく、カセット内に収容された検体の状況を容易に視認することができるので、作業性や検査精度が一層飛躍的に高められる。
【図面の簡単な説明】
【００６５】
【図１】本発明のカセットの実施例を示す平面図である。
【図２】図１のカセットのＡ−Ａ断面図である。
【図３】図１のカセットのカセット本体から蓋を開いた状態の斜視図である。
【図４】図１のカセットの蓋を下方からみた状態の斜視図である。
【図５】図１のカセットの斜視図である。
【図６】図１のカセットを積み重ねた状態を示す断面図である。
【図７】本発明のカセットの他の実施例を示す平面図である。
【図８】図７のカセットのＢ−Ｂ断面図である。
【図９】図７のカセットのＣ−Ｃ断面図である。
【図１０】図７のカセットの蓋を開いた状態の斜視図である。
【図１１】図７のカセットの蓋を下方から見た状態の斜視図である。
【図１２】図７のカセットの斜視図である。
【図１３】本発明のカセットの更に他の実施例を示す斜視図である。
【図１４】図１３のカセットのＤ−Ｄ断面図である。
【図１５】図１３のカセットのＥ−Ｅ断面図である。
【図１６】本発明の更に他の実施例を示す斜視図である。
【図１７】図１６のカセットのＦ−Ｆ断面図である。
【図１８】図１６のカセットの蓋を開いた状態の斜視図である。
【図１９】本発明のカセットの別の実施例を示す斜視図である。
【図２０】図１９のカセットのＧ−Ｇ断面図である。
【図２１】図１９のカセットの蓋を開いた状態の斜視図である。
【図２２】従来のカセットの斜視図である。
【図２３】図２２のカセットのＨ−Ｈ断面図である。
【符号の説明】
【００６６】
１  カセット本体
２  蓋
３  透孔
４  係止部
５  係止部
６  記録部
７  透孔
８  リブ
９ａ、９ｂ  係止片
１０  突縁部
１１  係止片
１２  アダプター係止部
１３  検体
１４  係止部（係止溝）
１５  係止部
１６  Ｕ字状係止部
１６ａ  端縁部
１６ｂ  透孔
１６ｃ  ピンセット誘導路を形成する内側辺
１７  凸部
１８  凸部
１９  凹部
２０、２０ａ  突起
２１  嵌合孔
２２  ピンセット挿入口
２３  ピンセット誘導路
２４  ピンセット
【図１】
2005188976.tif 000003
【図２】
2005188976.tif 000004
【図３】
2005188976.tif 000005
【図４】
2005188976.tif 000006
【図５】
2005188976.tif 000007
【図６】
2005188976.tif 000008
【図７】
2005188976.tif 000009
【図８】
2005188976.tif 000010
【図９】
2005188976.tif 000011
【図１０】
2005188976.tif 000012
【図１１】
2005188976.tif 000013
【図１２】
2005188976.tif 000014
【図１３】
2005188976.tif 000015
【図１４】
2005188976.tif 000016
【図１５】
2005188976.tif 000017
【図１６】
2005188976.tif 000018
【図１７】
2005188976.tif 000019
【図１８】
2005188976.tif 000020
【図１９】
2005188976.tif 000021
【図２０】
2005188976.tif 000022
【図２１】
2005188976.tif 000023
【図２２】
2005188976.tif 000024
【図２３】
2005188976.tif 000025